(57)【要約】【課題】無線通信にて通行料金の徴収を自動的に行なう自動料金徴収システムにおいて、料金徴収用ＩＣカードの異常による通信異常を防止する。【解決手段】挿入されたＩＣカードが正しく識別できない場合は、ＩＣカードを自動的に強制排出することで、利用者に警告する。利用者に対して挿入されたＩＣカードが正しく識別できなかった場合には、自動的に強制排出してより明確に異常を警告し、再挿入を促すことにより料金所での通信不良や誤通信を防止する。【選択図】　図１
2004145697.tif 000002
【特許請求の範囲】
【請求項１】
料金徴収用のＩＣカードを挿入して、路側機との間の無線通信により通行料金の徴収処理を行なう自動料金収受車載装置であって、前記挿入さえたＩＣカードの識別が正しくできたか否かを判断する判断手段と、前記ＩＣカードの識別が正しくできなかった場合、前記ＩＣカードを自動的に強制排出するＩＣカード排出手段と、前記ＩＣカードの強制排出の後に、ＩＣカードの再挿入を促す案内手段とを備えたことを特徴とする自動料金収受車載装置。
【請求項２】
前記ＩＣカードの再挿入を少なくとも音声で案内することを特徴とする請求項１記載の自動料金収受車載装置。
【発明の詳細な説明】
【０００１】
【発明の属する技術分野】
本発明は、車両に搭載して、有料道路において料金所に設置された料金徴収用路側機との間で、無線通信にて通行料金の徴収を自動的に行なう料金徴収システムに使用される、料金徴収用ＩＣカードが着脱方式の自動料金収受車載装置に関する。
【０００２】
【従来の技術】
従来から有料道路の通行料金を自動的に徴収するノンストップ自動料金収受システム（ＥＴＣ：Ｅｌｅｃｔｒｏｎｉｃ　Ｔｏｏｌ　Ｃｏｌｌｅｃｔｉｏｎ）が運用され、このシステムに対応した自動料金収受車載装置（以下、ＥＴＣ車載器という。）が開発されている。料金所にて自動的に料金徴収を行なうためには、料金徴収用に使用するＩＣカードが正しくＥＴＣ車載器に装着されていなければならない。
【０００３】
接触型ＩＣカードでは、コンタクト端子面の汚れやＩＣカードの反りなどにより、ＩＣカードコネクタにＩＣカードを挿入してもＩＣカードの識別が正しくできない場合がある。またＩＣカードを裏返しに挿入した場合や、ＩＣカードではあるがＥＴＣが利用できないカードなどを挿入した場合なども、正しいＩＣカードの識別はできない。そのため、従来の車載器では、ＩＣカードの識別が正しくできなかった場合には、音声案内やＬＥＤなどの表示によりその旨を利用者に通知することが一般に行なわれている（例えば、特許文献１参照）。
【０００４】
【特許文献１】
特開平１１−２８８４７３号公報
【０００５】
【発明が解決しようとする課題】
しかしながら、音声案内の聞き逃しや表示の見落としなどにより、利用者が車載器からの通知に気が付かないまま走行して料金所に進入した場合には、料金所に設置された料金徴収用路側機との間で所定の通信を行なうことができなくなり、料金所を正常に通過できないことになる。
【０００６】
本発明は、このような従来の問題を解決するものであり、ＩＣカードの識別が正しくできなかった場合の路側機と間の通信不良や誤通信を防止することのできるＥＴＣ車載器を提供することを目的とする。
【０００７】
【課題を解決するための手段】
上記目的を達成するために、本発明のＥＴＣ車載器は、料金徴収用のＩＣカードを挿入して、路側機との間の無線通信により通行料金の徴収処理を行なう自動料金収受車載装置であって、前記挿入さえたＩＣカードの識別が正しくできたか否かを判断する判断手段と、前記ＩＣカードの識別が正しくできなかった場合、前記ＩＣカードを自動的に強制排出するＩＣカード排出手段と、前記ＩＣカードの強制排出の後に、ＩＣカードの再挿入を促す案内手段とを備えたことを特徴とする。この構成により、ＩＣカードの識別が正しくできなかった場合には、そのＩＣカードを強制排出するとともに、正常なＩＣカードの再挿入を促すことにより、路側機と間の通信不良や誤通信を防止することができる。
【０００８】
また、本発明のＥＴＣ車載器は、前記ＩＣカードの再挿入を少なくとも音声で案内することを特徴とするものであり、運転中のユーザに対して有効に案内することができる。
【０００９】
【発明の実施の形態】
以下、本発明の実施の形態について図面を参照して説明する。図１は本発明の実施の形態におけるＥＴＣ車載器の構成を示すブロック図である。このＥＴＣ車載器は、アンテナ１１を介して無線部１２により路側機との間で５．８ＧＨｚ帯の高周波信号の送受信を行う。制御部１３は、無線通信の制御、ＩＣカードの制御を行うＣＰＵである。ＨＭＩ（ヒューマン・マシン・インターフェイス）部１４は、スピーカ１５やＬＥＤからＥＴＣ車載器の状態を表示する。ＩＣカード挿脱部１７は、ＥＴＣ車載器にＩＣカード（本発明においてはメモリカード、ＳＤカード等を含む）を接続するための端子および挿入されたＩＣカードを制御部１３からのＩＣカード排出信号１８により強制排出する機構を備えている。この強制排出機構は、ＩＣカードを装置内に摺動案内する復帰ばねを備えた保持部材が、挿入されたＩＣカードに押圧されて、復帰ばねに弾性エネルギが蓄積された状態でロックされ、ＩＣカード排出信号１８によりそのロックが解除されることにより、ＩＣカードを保持した保持部材が排出される一般的な構造である。
【００１０】
次に、上記ＥＴＣ車載器の動作について説明する。有料道路内の料金所に設置された料金徴収用路側機との間で通信が開始されると、料金徴収用路側機からの通信データは、アンテナ１１および無線部１２を介して制御部１３に伝えられ、所定の通信を行なった後、ＨＭＩ部１４を通じて、スピーカ１５およびＬＥＤ１６にて利用者に結果が通知される。また、ＥＴＣを利用するために、料金徴収用のＩＣカードを車載器に挿入した場合は、制御部１３にてＩＣカード挿脱部１７の端子を介してＩＣカードと通信を行ない、正しく識別できた場合には、ＨＭＩ部１４を通じて、スピーカ１５およびＬＥＤ１６にて利用者にＥＴＣが利用できる旨を通知する。そして、料金の収受が行われると、ＩＣカードコネクタ１７に挿着されたＩＣカードに料金徴収の結果が記録される。
【００１１】
図２は本実施の形態におけるＩＣカード異常警告処理を示すフローチャートである。図２において、ＥＴＣ車載器に料金徴収用のＩＣカードが挿入されると（ステップＳ２０）、制御部１３が、ＩＣカードが正しく識別できたどうかをチェックし（ステップＳ２１）、正しく識別できた場合は、制御部１３は、ＨＭＩ部１４からスピーカ１５およびＬＥＤ１６を通じて利用者にＥＴＣが利用できる旨の通知を行なう（ステップＳ２２）。ＩＣカードが正しく識別できなかった場合には、制御部１３は、スピーカ１５およびＬＥＤ１６にて利用者にＥＴＣが利用できない旨の通知を行い（ステップＳ２３）、ＩＣカード挿脱部１７にＩＣカード排出信号１８を出力し、料金徴収用のＩＣカードを強制的に排出し（ステップＳ２４）、スピーカ１５およびＬＥＤ１６にて利用者に異常を明確に警告するとともに、正常なＩＣカードの再挿入を促すための案内をスピーカ１５およびＬＥＤ１６により行う（ステップＳ２５）。
【００１２】
このように、本実施の形態によれば、料金徴収用のＩＣカードが正しく認識できなかった場合は、スピーカ１５およびＬＥＤ１６にて利用者にＥＴＣが利用できない旨の通知を行い、制御部１３がＩＣカード挿脱部１７にＩＣカード排出信号１８を送ってＩＣカードを強制的に排出するとともに、正常なＩＣカードの再挿入を促すので、ＩＣカードの識別が正しくできなかった場合の路側機と間の通信不良や誤通信を防止することができる。
【００１３】
【発明の効果】
以上説明したように、本発明によれば、ＥＴＣ車載器にＩＣカードが正しく識別できない場合には、従来の表示および音声の警告に加え、ＩＣカードを自動的に強制排出する手段および再挿入を促す案内手段を設けることにより、利用者により効果的に異常を警告することができるとともに、正常なＩＣカードの再挿入を促すことにより、ＩＣカードを正しく識別できないままの状態で走行した場合の路側機と間の通信不良や誤通信を防止することができる。
【図面の簡単な説明】
【図１】本発明の実施の形態におけるＥＴＣ車載器の構成を示すブロック図
【図２】本発明の実施の形態におけるＩＣカード異常警告処理を示すフロー図
【符号の説明】
１１　アンテナ
１２　無線部
１３　制御部
１４　ＨＭＩ部
１５　スピーカ
１６　ＬＥＤ
１７　ＩＣカード挿脱部
１８　ＩＣカード排出信号
【図１】
2004145697.tif 000003
【図２】
2004145697.tif 000004